(57)【要約】【課題】改善された電子機器を提供する。【解決手段】電子機器１は、本体部２と、本体部２に対して相対的に第１方向Ｄ１及び第２方向Ｄ２へ移動可能な可動部３とを備え、本体部２は、第１方向Ｄ１及び第２方向Ｄ２への可動部３の移動を案内する案内部４と、磁気を検知可能な磁気センサ５とを有し、可動部３は、電子機器１の表面の一部を形成するパネル６と、パネル６の裏側に配置されるとともに案内部４に案内される被案内部材７と、磁石８とを有し、被案内部材７は、軟磁性体で構成されており、磁石８は、前記軟磁性体の裏側に配置されている。【選択図】図１Ａ
2019008037.tif 000002
【特許請求の範囲】
【請求項１】
電子機器であって、
カメラのレンズユニットを有する本体部と、前記本体部に対して相対的に第１方向及び第２方向へ移動可能であるとともに、前記第１方向又は前記第２方向への移動によって前記レンズユニットを被覆可能なカメラカバーとを備え、
前記本体部は、前記第１方向及び前記第２方向への前記カメラカバーの移動を案内する案内部と、前記電子機器の表面の一部を形成する筐体と、磁気を検知可能な磁気センサとを有し、
前記カメラカバーは、前記電子機器の表面の一部を形成するパネルと、前記パネルの裏側に配置されるとともに前記案内部に案内される被案内部材と、磁石とを有し、
前記筐体は、前記パネルを内側に収容する内周壁面を有するとともに、前記内周壁面を挟んだ内側と外側とで前記筐体の表面と前記パネルの表面とが面一となるように構成されており、
前記被案内部材は、軟磁性体で構成されており、
前記磁石は、前記軟磁性体の裏側に配置されている、電子機器。
【請求項２】
電子機器であって、
本体部と、前記本体部に対して相対的に第１方向及び第２方向へ移動可能な可動部とを備え、
前記本体部は、前記第１方向及び前記第２方向への前記可動部の移動を案内する案内部と、磁気を検知可能な磁気センサとを有し、
前記可動部は、前記電子機器の表面の一部を形成するパネルと、前記パネルの裏側に配置されるとともに前記案内部に案内される被案内部材と、磁石とを有し、
前記被案内部材は、軟磁性体で構成されており、
前記磁石は、前記軟磁性体の裏側に配置されている、電子機器。
【請求項３】
前記案内部は、第１端縁及び第２端縁からなる一対の端縁で構成されており、
前記被案内部材には、前記一対の端縁を挟んで互いに向き合うように配置された第１溝部と第２溝部とからなる一対の溝部が形成されており、
前記第１溝部は前記第１端縁と係合し、前記第２溝部は前記第２端縁と係合しており、
前記被案内部材は、前記一対の溝部の外側に延びる延長部を有し、
前記磁石は、前記延長部の裏側に配置されている、請求項２に記載の電子機器。
【請求項４】
前記被案内部材は、前記第１溝部を有する第１係合部材と、前記第２溝部を有する第２係合部材と、前記第１係合部材及び前記第２係合部材を保持する保持部材とを有し、
前記保持部材は、前記延長部を有するとともに軟磁性体からなる、請求項３に記載の電子機器。
【請求項５】
前記保持部材は、ステンレス鋼の板金からなる、請求項４に記載の電子機器。
【請求項６】
前記延長部は、前記磁石とそれぞれ対向する第１壁部、第２壁部、第３壁部及び第４壁部を有し、
前記第１壁部は、前記磁石に対して前記電子機器の表面側に配置されており、
前記第２壁部は、前記磁石に対して前記第１方向側に配置されており、
前記第３壁部は、前記磁石に対して前記第２方向側に配置されており、
前記第４壁部は、前記磁石を挟んで前記一対の溝部の反対側に配置されている、請求項３乃至５のいずれか一項に記載の電子機器。
【請求項７】
前記本体部は、前記電子機器の表面の一部を形成する筐体を有し、
前記筐体は、前記パネルを内側に収容する内周壁面を有するとともに、前記内周壁面を挟んだ内側と外側とで前記筐体の表面と前記パネルの表面とが面一となるように構成されている、請求項２乃至６のいずれか一項に記載の電子機器。
【請求項８】
前記本体部は、カメラのレンズユニットを有し、
前記可動部は、前記第１方向又は前記第２方向への移動によって前記レンズユニットを被覆可能なカメラカバーとして構成されている、請求項２乃至７のいずれか一項に記載の電子機器。
【発明の詳細な説明】
【技術分野】
【０００１】
本開示は、電子機器に関する。
【背景技術】
【０００２】
例えば携帯電話又はスマートフォン等の電子機器として、本体部に対して相対的に移動可能な、例えばカメラカバーとして構成された可動部を備えるものが知られている。このような可動部は、例えば特許文献１に記載されるように、本体部に案内される一対の凸部を有するパネルを有することがある。
【先行技術文献】
【特許文献】
【０００３】
【特許文献１】特開２００７−２９８７８５号公報
【発明の概要】
【発明が解決しようとする課題】
【０００４】
特許文献１に記載されるような電子機器には、改善の余地がある。
【０００５】
本開示の目的は、改善された電子機器を提供することにある。
【課題を解決するための手段】
【０００６】
電子機器の第１態様は、カメラのレンズユニットを有する本体部と、前記本体部に対して相対的に第１方向及び第２方向へ移動可能であるとともに、前記第１方向又は前記第２方向への移動によって前記レンズユニットを被覆可能なカメラカバーとを備える。前記本体部は、前記第１方向及び前記第２方向への前記カメラカバーの移動を案内する案内部と、前記電子機器の表面の一部を形成する筐体と、磁気を検知可能な磁気センサとを有する。前記カメラカバーは、前記電子機器の表面の一部を形成するパネルと、前記パネルの裏側に配置されるとともに前記案内部に案内される被案内部材と、磁石とを有する。前記筐体は、前記パネルを内側に収容する内周壁面を有するとともに、前記内周壁面を挟んだ内側と外側とで前記筐体の表面と前記パネルの表面とが面一となるように構成されている。前記被案内部材は、軟磁性体で構成されている。前記磁石は、前記軟磁性体の裏側に配置されている。
【０００７】
電子機器の第２態様は、本体部と、前記本体部に対して相対的に第１方向及び第２方向へ移動可能な可動部とを備える。前記本体部は、前記第１方向及び前記第２方向への前記可動部の移動を案内する案内部と、磁気を検知可能な磁気センサとを有する。前記可動部は、前記電子機器の表面の一部を形成するパネルと、前記パネルの裏側に配置されるとともに前記案内部に案内される被案内部材と、磁石とを有する。前記被案内部材は、軟磁性体で構成されている。前記磁石は、前記軟磁性体の裏側に配置されている。
【発明の効果】
【０００８】
本開示によれば、改善された電子機器を提供できる。
【図面の簡単な説明】
【０００９】
【図１Ａ】一実施形態に係る電子機器を、カメラカバーを閉じた状態で模式的に示す平面図である。
【図１Ｂ】図１ＡのＡ−Ａ線に沿う断面図である。
【図２Ａ】図１Ａに示された電子機器を、カメラカバーを開いた状態で模式的に示す平面図である。
【図２Ｂ】図２ＡのＡ−Ａ線に沿う断面図である。
【図３】図１Ａに示された電子機器の分解斜視図である。
【図４】図３に示された案内部材と被案内部材とを、互いに分離した状態で示す斜視図である。
【図５】図４に示された被案内部材の一例を模式的に示す分解斜視図である。
【図６】図１に示した状態において、被案内部材と磁石のみを示す部分拡大図である。
【発明を実施するための形態】
【００１０】
以下に、図１Ａ乃至図６を参照して、一実施形態に係る電子機器１について詳細に例示説明する。
【００１１】
図１Ａ乃至図２Ｂに示すように、本実施形態に係る電子機器１は、本体部２と、本体部２に対して相対的に第１方向Ｄ１及び第２方向Ｄ２へ移動可能な可動部３とを備えている。本体部２は、第１方向Ｄ１及び第２方向Ｄ２への可動部３の移動を案内する案内部４と、磁気を検知可能な磁気センサ５とを有している。磁気センサ５は、例えば、ホールＩＣ（ＨＡＬＬ  ＩＣ）であってよいが、磁気を検知できれば他の方式のセンサであってもよい。可動部３は、電子機器１の表面の一部を形成するパネル６と、パネル６の裏側に配置されるとともに案内部４に案内される被案内部材７と、磁石８とを有している。本実施形態に係る電子機器１は、磁気センサ５で磁石８の磁気を検知することで、可動部３の位置を検知することができる。被案内部材７は、軟磁性体（本実施形態では、ステンレス鋼）で構成されている。磁石８は、前記軟磁性体の裏側に配置されている。すなわち、磁石８と前記軟磁性体とは互いに対向しており、且つ、前記軟磁性体は磁石８に対して電子機器１の表面側に配置されている。前記軟磁性体は、磁石８の磁気を少なくとも部分的に遮蔽し、電子機器１の表面側に漏れる磁気を低減できる。
【００１２】
本実施形態では、本体部２は、電子機器１の表面の一部を形成する筐体９を有している。本実施形態では、筐体９及びパネル６は、それぞれ、例えば合成樹脂を含む材料の射出成形によって形成された、一体成形品として構成されている。本実施形態では、パネル６は非磁性体からなっている。
【００１３】
図３に示すように、電子機器１は、本実施形態では、扁平な直方体形状をなしている。電子機器１は、厚み方向に延在する４つの表面と、これら表面のいずれよりも大きい表面積を有する第１面及び第２面を有している。第１面と第２面とは互いに反対側に位置している。第１面は、筐体９とパネル６とによって形成されている。第２面は、タッチパネル機能付きディスプレイによって形成されている。厚み方向に延在する４つの表面は、側面部材１０によって形成されている。本実施形態では、電子機器１は、タッチパネル機能付きディスプレイを備えるスマートフォンとして構成されている。
【００１４】
図３及び図４に示すように、本実施形態では、案内部４は、第１端縁１１ａ及び第２端縁１１ｂからなる一対の端縁１１で構成されている。本実施形態では、第１端縁１１ａ及び第２端縁１１ｂは、いずれも、第１方向Ｄ１及び第２方向Ｄ２に延びる直線状をなしている。本実施形態では、本体部２は、一対の端縁１１を有する案内部材１２を有している。案内部材１２は、例えばステンレス鋼などの金属製であってよい。案内部材１２は、図３において下側に位置する矢印で示すように、筐体９に固定される。案内部材１２は、例えば、リベット又はビスなどの固定部材によって筐体９に固定することができる。案内部材１２は、第１方向Ｄ１及び第２方向Ｄ２への可動部３の移動に関わらずパネル６の裏側に収容されている。
【００１５】
図３及び図４に示すように、本実施形態では、被案内部材７には、一対の端縁１１を挟んで互いに向き合うように配置された第１溝部１３ａと第２溝部１３ｂとからなる一対の溝部１３が形成されている。第１溝部１３ａは第１端縁１１ａと係合し、第２溝部１３ｂは第２端縁１１ｂと係合している。本実施形態では、被案内部材７には、図３において上側に位置する矢印で示すように、パネル６の裏面が固定される。本実施形態では、被案内部材７は、第１方向Ｄ１及び第２方向Ｄ２への可動部３の移動に関わらずパネル６の裏側に収容されている。被案内部材７は、一対の溝部１３の外側に延びる延長部１４を有している。磁石８は、延長部１４の裏側に配置されている。
【００１６】
図５に示すように、本実施形態では、被案内部材７は、第１溝部１３ａを有する第１係合部材１５ａと、第２溝部１３ｂを有する第２係合部材１５ｂと、第１係合部材１５ａ及び第２係合部材１５ｂを保持する保持部材１６とを有している。保持部材１６は、延長部１４を有するとともに軟磁性体からなっている。本実施形態では、保持部材１６は、ステンレス鋼の板金からなっている。第１係合部材１５ａ及び第２係合部材１５ｂは、それぞれ、例えば合成樹脂製であってよい。保持部材１６は、第１係合部材１５ａが取付けられる第１取付部１６ａと、第２係合部材１５ｂが取付けられる第２取付部１６ｂと、第１取付部１６ａと第２取付部１６ｂとを接続する接続部１６ｃとを有している。第１係合部材１５ａは、例えば、嵌合によって第１取付部１６ａに取付けることができる。第２係合部材１５ｂは、例えば、嵌合によって第２取付部１６ｂに取付けることができる。保持部材１６は、例えば、リベット又はビスなどの固定部材によってパネル６に固定することができる。
【００１７】
図６に示すように、本実施形態では、延長部１４は、磁石８とそれぞれ対向する第１壁部１４ａ、第２壁部１４ｂ、第３壁部１４ｃ及び第４壁部１４ｄを有している。第１壁部１４ａは、磁石８に対して電子機器１の表面側に配置されている。第２壁部１４ｂは、磁石８に対して第１方向Ｄ１側に配置されている。第３壁部１４ｃは、磁石８に対して第２方向Ｄ２側に配置されている。第４壁部１４ｄは、磁石８を挟んで一対の溝部１３の反対側に配置されている。延長部１４は、第２壁部１４ｂ、第３壁部１４ｃ及び第４壁部１４ｄのいずれか又はそれらの任意の組み合わせを有していなくてもよい。第２壁部１４ｂ、第３壁部１４ｃ及び第４壁部１４ｄは、連続するひとつの曲面から構成されてもよい。
【００１８】
本実施形態では、磁石８は、図３に示すように、磁石保持部材１７に固着されている。磁石保持部材１７は、板状をなしている。磁石保持部材１７は、パネル６の裏面に形成された２つの凸部からなる第１ストッパ１８ａに、例えば嵌合及び／又は接着等により、固定されている（図１Ｂ参照）。磁石保持部材１７は、第１ストッパ１８ａに代えて、又は加えて、延長部１４に、例えば嵌合及び／又は接着等によって固定されていてもよい。磁石保持部材１７は、例えば合成樹脂製であってよい。本実施形態では、磁石保持部材１７は非磁性体からなっている。
【００１９】
本実施形態では、パネル６の裏面には、前述した２つの凸部からなる第１ストッパ１８ａと、２つの凸部からなる第２ストッパ１８ｂとからなる一対のストッパ１８が設けられている。本実施形態では、一対のストッパ１８は、図１Ｂ及び図２Ｂに示すように、本体部２に設けられた当接部１９に当接することで、第１方向Ｄ１及び第２方向Ｄ２への可動部３の移動を阻止できる。具体的には、当接部１９は、第１当接部１９ａと第２当接部１９ｂとを有している。一対のストッパ１８は、第１当接部１９ａに当接することで第１方向Ｄ１への可動部３の移動を阻止できる。一対のストッパ１８は、第２当接部１９ｂに当接することで第２方向Ｄ２への可動部３の移動を阻止できる。当接部１９及び一対のストッパ１８は、いずれも、第１方向Ｄ１及び第２方向Ｄ２への可動部３の移動に関わらずパネル６の裏側に収容されている。
【００２０】
本実施形態では、図３に示すように、筐体９は、パネル６を内側に収容する内周壁面２０を有している。筐体９は、内周壁面２０を挟んだ内側と外側とで筐体９の表面９ｓとパネル６の表面６ｓとが面一となるように構成されている（図１Ｂ及び図２Ｂ参照）。すなわち、筐体９は、筐体９の表面９ｓとパネル６の表面６ｓとがフルフラットとなるように構成されている。
【００２１】
本実施形態では、本体部２は、図２Ａに示すように、カメラのレンズユニット２１を有している。レンズユニット２１は、単数又は複数のレンズと、レンズよりも本体部２の表面側に配置されたスクリーン２１ａとを有している。スクリーン２１ａは、本実施形態では、透光性を有するとともに板状をなしている。スクリーン２１ａは、例えばガラス、サファイア又はアクリル製であってよい。可動部３は、第１方向Ｄ１への移動によってレンズユニット２１を被覆可能なカメラカバーとして構成されている。本実施形態では、図１Ａに示すように可動部３がレンズユニット２１を被覆したときに、磁石８が磁気センサ５と対向する位置まで接近し（図１Ｂ参照）、磁気センサ５が磁石８の磁気を検知する。
【００２２】
本実施形態では、図２Ａに示すように、電子機器１の第１面の平面視で、レンズユニット２１を挟むように配置された第１化粧板２２ａと第２化粧板２２ｂとからなる一対の化粧板２２が設けられている。第１化粧板２２ａ及び第２化粧板２２ｂは、それぞれ、筐体９に固定されている。
【００２３】
本実施形態に係る電子機器１によれば、パネル６の裏側に被案内部材７を設けたことにより、外観を向上できる。しかも、その被案内部材７を構成する軟磁性体（本実施形態ではステンレス鋼）の裏側に磁石８を配置したので、被案内部材７を磁気シールドとして機能させることができ、部品点数を抑制するとともにパネル６を薄型化できる。このパネル６の薄型化は、本実施形態のように、筐体９の表面９ｓとパネル６の表面６ｓとがフルフラットとなるように構成（すなわち、可動部３をフルフラットカバーとして構成）した場合には、筐体９全体の薄型化を可能にする。本実施形態では、延長部１４が第１壁部１４ａ、第２壁部１４ｂ、第３壁部１４ｃ及び第４壁部１４ｄを有しているので、良好な磁気シールド機能を発揮できる。
【００２４】
前記の説明は、一実施形態を示したものにすぎず、特許請求の範囲を限定するものではない。前記の実施形態は、本開示の基礎的事項に基づいて、種々の変更が可能である。
【００２５】
例えば、電子機器１の形状は扁平な直方体形状に限られず、適宜変更が可能である。電子機器１は、スマートフォンに限られず、例えば、タッチパネル機能を有さない携帯電話として構成してもよい。筐体９及びパネル６を、それぞれ、複数の部材で構成してもよい。一対のストッパ１８を設けなくてもよい。
【００２６】
被案内部材７を構成する軟磁性体は、ステンレス鋼に限らず、例えば鉄又はパーマロイ等であってもよい。保持部材１６は、ステンレス鋼の板金に限らず、例えば鉄又はパーマロイ等の板金であってもよい。保持部材１６は、板金からなるものに限らない。被案内部材７は第１係合部材１５ａ、第２係合部材１５ｂ及び保持部材１６の３つの部材で構成していたが、部材構成は適宜変更が可能である。
【００２７】
案内部４の形状と、案内部４に案内される（より具体的には、案内部４に対して相対的に移動可能に案内部４と嵌合する）被案内部（前記の実施形態では、一対の溝部１３として構成）の形状とは、適宜変更が可能である。例えば、案内部４を１つの凹溝で構成するとともに、被案内部を当該凹溝に係合した凸部で構成してもよい。案内部４は、直線状に延びるものに限られず、例えば曲線状に延びるものであってもよい。案内部４の長さ（第１方向Ｄ１及び第２方向Ｄ２の長さ）を、被案内部の長さ（第１方向Ｄ１及び第２方向Ｄ２の長さ）より短く構成してもよい。
【００２８】
筐体９は、筐体９の表面９ｓとパネル６の表面６ｓとがフルフラットとなるものに限られない。カメラのレンズユニット２１の位置を変更し、可動部３が、第２方向Ｄ２への移動によってレンズユニット２１を被覆するように構成してもよい。本体部２は、カメラのレンズユニット２１を有するものに限られない。一対の化粧板２２を筐体９と一体に形成してもよい。
【００２９】
電子機器１は、磁気センサ５によって検知した可動部３の位置に応じた制御を行ってもよい。例えば、電子機器１は、可動部３の位置に応じて、カメラの起動／停止（ＯＮ／ＯＦＦ）を切換えてもよい。より具体的には、電子機器１は、使用者が可動部３を操作して可動部３をレンズユニット２１が被覆される位置に移動させたときにカメラをＯＦＦする一方、使用者が可動部３を操作して可動部３をレンズユニット２１が露出する位置に移動させたときにカメラをＯＮしてもよい。
【符号の説明】
【００３０】
１  電子機器
２  本体部
３  可動部
４  案内部
５  磁気センサ
６  パネル
６ｓ  パネルの表面
７  被案内部材
８  磁石
９  筐体
９ｓ  筐体の表面
１０  側面部材
１１  一対の端縁
１１ａ  第１端縁
１１ｂ  第２端縁
１２  案内部材
１３  一対の溝部
１３ａ  第１溝部
１３ｂ  第２溝部
１４  延長部
１４ａ  第１壁部
１４ｂ  第２壁部
１４ｃ  第３壁部
１４ｄ  第４壁部
１５ａ  第１係合部材
１５ｂ  第２係合部材
１６  保持部材
１７  磁石保持部材
１８  一対のストッパ
１８ａ  第１ストッパ
１８ｂ  第２ストッパ
１９  当接部
１９ａ  第１当接部
１９ｂ  第２当接部
２０  内周壁面
２１  レンズユニット
２１ａ  スクリーン
２２  一対の化粧板
２２ａ  第１化粧板
２２ｂ  第２化粧板
Ｄ１  第１方向
Ｄ２  第２方向
【図１Ａ】
2019008037.tif 000003
【図１Ｂ】
2019008037.tif 000004
【図２Ａ】
2019008037.tif 000005
【図２Ｂ】
2019008037.tif 000006
【図３】
2019008037.tif 000007
【図４】
2019008037.tif 000008
【図５】
2019008037.tif 000009
【図６】
2019008037.tif 000010